(57)【要約】【課題】  簡単な構造により低コストであり、角度調整を短時間で簡単に行なえる投射装置等の角度調整台装置を提供する。【解決手段】  支持部に支持されて所要高さ位置に配置され上面側にプロジェクタＰ等を載置させる架台１４と、架台を少なくとも横軸（４１）周りに首振り状に揺動可能としつつ任意の傾斜角度で固定させる角度設定機構１６を設ける。角度設定機構は、一方側が架台１４に連結されるとともに他方側が入力部４７に連結された咬み合い回転部３５と、固定部６０と、を含む。入力操作により咬み合い回転部を介して架台に直結された咬み合い歯台が回動し傾動させる。回転入力と、固定部によりスクリーンを見ながらの直感的な微調整角度設定ができる。【選択図】図１    
2005121918.tif 000002
【特許請求の範囲】
【請求項１】
プロジェクタ等の角度調整台装置であり、
支持部と、
支持部に支持されて所要高さ位置に配置され上面側にプロジェクタ等を載置させる架台と、
架台を少なくとも横軸周りに首振り状に揺動可能としつつ任意の傾斜角度で固定させる角度設定機構と、を備え、
角度設定機構は、一方側が架台に連結されるとともに他方側が入力部に連結された咬み合い回転部と、固定部と、を含むことを特徴とする請求項１記載の角度調整台装置。
【請求項２】
咬み合い回転部の一方側は架台に直結され、一つの咬み合い回転部により入力部からの入力操作を介して直接に架台を傾動調整させることを特徴とする角度調整台装置。
【請求項３】
架台の下部には咬み合い回転部の一方側を形成する咬み合い歯を有する
咬み合い歯台が突設固定されたことを特徴とする請求項１又は２記載の角度調整台装置。
【請求項４】
入力部は、咬み合い歯台の咬み合い歯に咬合する入力カムと、入力カムを回動させる入力ハンドルと、を備えたことを特徴とする請求項１ないし３のいずれかに記載の角度調整台装置。
【請求項５】
架台の咬み合い歯台と入力カムとの咬み合い状態を維持しつつ入力ハンドルによる入力操作を自在に行なわせる咬み合い保持機構が設けられたことを特徴とする請求項４記載の角度調整台装置。
【請求項６】
固定部の固定解除用ハンドルと入力ハンドルが略同じ高さの対向位置に配置されて操作可能に設けられたことを特徴とする請求項４又は５記載の角度調整台装置。
【請求項７】
架台に固定された咬み合い歯台の枢軸から咬合部までの長さが、入力カムの枢軸から咬合部までの長さよりも長く設定されていることを特徴とする請求項３ないし６のいずれかに記載の角度調整台装置。
【請求項８】
支持部に支持されて架台の外周囲に移動自在に配置された補助台が設けられたことを特徴とする請求項１ないし７のいずれかに記載の角度調整台装置。
【請求項９】
架台は支持部を介して上下移動かつ縦軸周り移動自在に設けられていることを特徴とする請求項１ないし８のいずれかに記載の角度調整台装置。
【発明の詳細な説明】
【技術分野】
【０００１】
本発明は、角度調整台装置に係り、特に映像を光学的にスクリーンに投射して拡大画面表示させるプロジェクタ等の光学投射装置等を載置支持する角度調整台装置に関する。
【背景技術】
【０００２】
学校、オフィス、講演会、講習会、各種プレゼンテーションなどで拡大表示させた写真、文字、図、イラスト等を同時に表しながら説明を進める装置としてＯＨＰ装置やその他の電子光学拡大表示用投射装置を含むプロジェクタが汎用されている。特に、近時はＣＲＴや液晶パネルなどで作られた小型の表示装置の画像を光学的に拡大し、スクリーンに投影して大画面表示させるプロジェクションディスプレイ等用の機器も出現している。これらのプロジェクタの使用に際しては、例えば演台あるいはその側部に大型スクリーンを配置し、これに向けてスライドや液晶、ＣＲＴ画面に表示した画像等を光学的に拡大して投影させるが、この際、デスクやテーブルを台代わりにしてその上にプロジェクタ本体を載置して安定させ、次にスクリーンに正しく表示されるようにプロジェクタ本体の光源の角度を上向きに調整する必要がある。この調整のためにデスク上に本やその他のブロック等を配置しその上にもたれさせて勾配をとって設置する場合が通常であった。この場合、スクリーン上に正しく表示させるための角度調整が煩雑で時間がかかり、また、支持も不安定で、落下させて高価な電子光学機器を破損、破壊させるおそれがあった。また、例えば、特許文献１には、起立姿勢で利用しうる高さの天板と、着座姿勢で利用しうる高さの設置台とを設け、この設置台を、天板の下方において引き出し格納自在とした構成の教卓が示されている。
【０００３】
【特許文献１】特開２００１−１６１４５１号公報
【発明の開示】
【発明が解決しようとする課題】
【０００４】
上述した特許文献１の教卓においては、天板の上にプロジェクタを必要に応じて配置し、設置台を引き出してパーソナルコンピュータをその上に置いてプロジェクタに接続し使用するようになっているが、この文献の教卓は結局高さの異なるデスクや台を並列させて配置させた場合と機能的には何ら異なるところはなく、使用者が立位で行なうプロジェクタの角度調整等はその前部の下面側に何らかの上向き勾配にさせるための台となるものを置くか、プロジェクタ本体に設けられた勾配調整用の脚を１本づつ伸縮調整させて角度調整する必要があった。プロジェクタ本体に設けた高さ調整用脚は通常捩じ込み式のボルトやスライド伸縮式の脚であるからプロジェクタ本体の四隅に設けられたそれぞれの脚を捩じ込み式に回したり、伸縮させながら行なう高さ調整作業がやはり煩雑で、時間もかかりまた支持も不安定となる場合が多いという課題があった。また、引き出し、格納式の設置台にパソコンを配置する場合、一方向にのみ引き出されるから引き出し方向、位置が固定的であり教卓が大型になる割にはその有効な利用がされにくいという課題があった。
【０００５】
本発明は、上記従来の課題に鑑みてなされたものであり、簡単な構造により低コストであり、角度調整を短時間で簡単に行なえるのみならずコンパクトに形成しうる角度調整台装置を提供することである。また、本発明の他の目的は、小型コンパクトでありながらプロジェクタ本体との接続機器等の載置台を装置の外周全体を有効に利用して設置しうる角度調整台装置を提供することにある。
【課題を解決するための手段】
【０００６】
上記の目的を達成するために、本発明は、プロジェクタ等の角度調整台装置であり、支持部１２と、支持部に支持されて所要高さ位置に配置され上面側にプロジェクタＰ等を載置させる架台１４と、架台を少なくとも横軸（４１）周りに首振り状に揺動可能としつつ任意の傾斜角度で固定させる角度設定機構１６と、を備え、角度設定機構は、一方側が架台１４に連結されるとともに他方側が入力部４７に連結された咬み合い回転部３５と、固定部６０と、を含む角度調整台装置（１０）から構成される。支持部の構成は基本的にはそれぞれ支持すべきベースや脚、あるいは支持用のポスト等があれば良く、その具体的構成や素材は任意に設定してよい。また、架台も上面にプロジェクタその他の機器を安定的に載置して傾動調整しうる構造のものであれば、任意の構成としてもよい。入力部や固定部の具体的な操作部分はレバーハンドル、その他の入力操作手段の構成としてもよい。好適にはスペースをとられずにしかも操作上の危険性が少ないノブハンドルとするとよい。
【０００７】
その際、咬み合い回転部３５の一方側は架台１４に直結され、一つの咬み合い回転部により入力部４７からの入力操作を介して直接に架台１４を傾動調整させるようにするとよい。入力部からの入力操作をギヤ連動やベルト連動等で伝達して架台を傾動させるようにしてもよいが、ギヤ部分を架台に直結させるようにしてもよい。
【０００８】
また、架台１４の下部には咬み合い回転部３５の一方側を形成する咬み合い歯４０を有する咬み合い歯台３８が突設固定させるとよい。架台と咬み合い部分とを直結させて架台と咬み合い回転部との連結を極めて簡単に行なえる。また、架台の回転範囲を決めてしまえば咬み合い歯台を簡単な長板体等で構成でき、しかも、架台の傾動角度を設定することにより高価なプロジェクタ等の落下のおそれをなくすることとなる。
【０００９】
また、その際、入力部４７は、咬み合い歯台３８の咬み合い歯４０に咬合する入力カム４６と、入力カムを回動させる入力ハンドル５６と、を備えるとよい。
【００１０】
さらに、架台１４の咬み合い歯台３８と入力カム４６との咬み合い状態を維持しつつ入力ハンドル５６による入力操作を自在に行なわせる咬み合い保持機構５０を設けるとよい。
【００１１】
また、固定部６０の固定解除用ハンドル６４と入力ハンドル５６が略同じ高さの対向位置に配置されて操作可能に設けるとよく、前方のスクリーンを見ながら片手で傾動し他の手で固定操作できるので、直感的でわかりやすく簡単な角度調整を実現する。
【００１２】
また、架台１４に固定された咬み合い歯台３８の枢軸４から咬合部Ｙまでの長さＳ１が、入力カム４６の枢軸５２から咬合部Ｙまでの長さＳ２よりも長く設定されているとよく、直感的な入力操作でありながら、微調整角度設定が可能となる。
【００１３】
また、支持部１２に支持されて架台１４の外周囲に移動自在に配置された補助台３２を設けると有利である。
【００１４】
また、架台１４は支持部１２を介して上下移動かつ縦軸周り移動自在に設けるとよい。
【発明の効果】
【００１５】
本発明の角度調整台装置によれば、プロジェクタ等の角度調整台装置であり、支持部と、支持部に支持されて所要高さ位置に配置され上面側にプロジェクタ等を載置させる架台と、架台を少なくとも横軸周りに首振り状に揺動可能としつつ任意の傾斜角度で固定させる角度設定機構と、を備え、角度設定機構は、一方側が架台に連結されるとともに他方側が入力部に連結された咬み合い回転部と、固定部と、を含む構成であるから、簡単な構造により低コストであり、角度調整を短時間で簡単に行なえるのみならず小型に構成し得る。
【００１６】
また、咬み合い回転部の一方側は架台に直結され、一つの咬み合い回転部により入力部からの入力操作を介して直接に架台を傾動調整させる構成とすることにより、少ない部品点数により咬み合い回転部の構造を簡単にし低コストに資する上に、操作も簡単でスクリーン等を見ながらの直感的な操作を精度良く行なえる。
【００１７】
また、架台の下部には咬み合い回転部の一方側を形成する咬み合い歯を有する咬み合い歯台が突設固定された構成とすることにより、咬み合い回転部への入力で架台を直接に傾動させる構成を具体的に実現できる。また、構造の簡易化に資する。
【００１８】
また、入力部は、咬み合い歯台の咬み合い歯に咬合する入力カムと、入力カムを回動させる入力ハンドルと、を備えた構成とすることにより、入力ハンドルの回転入力がそのまま架台の傾動に反映するので、架台すなわちその上に載置したプロジェクタ等の直感的な傾動とその角度調整が可能で操作の簡単化と良好な角度設定精度を保持しうる。
【００１９】
また、架台の咬み合い歯台と入力カムとの咬み合い状態を維持しつつ入力ハンドルによる入力操作を自在に行なわせる咬み合い保持機構が設けられた構成とすることにより、入力部からの入力操作を介して直接に架台を傾動調整させることができる。
【００２０】
また、固定部の固定解除用ハンドルと入力ハンドルが略同じ高さの対向位置に配置されて操作可能に設けられた構成とすることにより、スクリーン等を見ながらの直感的な操作を精度良く行なえる。
【００２１】
また、架台に固定された咬み合い歯台の枢軸から咬合部までの長さが、入力カムの枢軸から咬合部までの長さよりも長く設定された構成とすることにより、指等で把持したうえでのハンドルの直接の回転入力操作で小さな回転量による架台の角度変更が行なえる結果、良好な精度で微調整可能な角度調整を行なえる。
【００２２】
また、支持部に支持されて架台の外周囲に移動自在に配置された補助台が設けられた構成とすることにより、架台の全周囲スペースを有効に利用し、該補助台を設置した場合の装置全体の小型化に資する。また、コンピュータ等の機器の設置場所が任意位置に自在に変更ができるので、使い勝手が大幅に向上する。
【００２３】
また、架台は支持部を介して上下移動かつ縦軸周り移動自在に設けられた構成とすることにより、光源の投射高さ、方向等を自在に設定し得る。
【発明を実施するための最良の形態】
【００２４】
次に、添付図面を参照して本発明の角度調整台装置の実施の形態を説明する。本発明の角度調整台装置は、ＯＨＰ用プロジェクタあるいはコンピュータに接続されて画像表示する液晶やＣＲＴディスプレイ画像等を光学的に拡大して前方等のスクリーンに投射する投射装置等を安定して載置させ、さらに光源からの光を正しくスクリーンに表示させるための角度調整を自在に行なわせる角度調整台手段であり、特に、本実施形態では、簡単な構造でしかも実用に供しうる程度の角度微調整設定をも可能な小型の角度調整台装置とした点が主な特徴点である。
【００２５】
図１ないし図５は本発明に係る角度調整台装置１０の実施形態を示しており、図１において、角度調整台装置１０は、支持部１２と、支持部１２に支持されて例えば８０ｃｍ〜９０ｃｍ程度の人の座位机上作業に適する程度の高さに配置される架台１４と、架台の角度設定機構１６と、を含む。
【００２６】
支持部１２は、架台１４を所要高さ位置で水平状に支持する支持手段であり、本実施形態において、該支持部１２は、ベース１８に垂直状に立設された支持筒２０と、支持筒２０内に貫挿されて上下動かつ縦軸周り回転自在に設けられた可動筒２２と、を備えている。ベース１８は例えば金属をＨ字形に溶接接合して設けられている。そして、それに起立して固定された支持筒２０の上端部には可動筒固定用のノブハンドル２４が捩じ込み式で取り付けられて可動筒の軸周り回転を規制可能としている。可動筒２２は、支持筒２０に支持されて上下動かつ縦軸周り回動自在に設けられてその上端側で支持する架台１４自体を上下動自在並びに縦軸周り自在構成とする中間の筒支持手段であり、中空でなくロッドなどでもよい。実施形態では支持筒２０の内部にばね２１が嵌挿されており、可動筒２２ひいてはその上方に配置される架台上の高価なプロジェクタ等が落下衝撃により故障や損傷を生じないようにし得る。また、上下動操作も円滑である。なお、ベース１８の下面側には制動機構付きキャスタ１９が取り付けられており、装置全体が自由に移動でき、かつその位置で移動しないように制動ロックできるようになっている。
【００２７】
本実施形態において、支持筒２０の中間位置外周に固定された受け座２６に受けられて縦軸回りに遊転自在に回転筒２８が嵌装されており、該回転筒２８にアーム３０の一端が連結され、そのアーム３０の上端側に補助台３２が取り付けられている。補助台３２は、支持部１２に支持されて架台の外周囲周りに移動自在に配置される補助用の台であり、特に本実施形態では回転筒２８の遊転によりアーム３０を介して架台１４の全周囲３６０度にわたって移動自在になっており、したがって、コンピュータＪに接続して表示させるディスプレイを備えたタイプのプロジェクタの場合には、架台１４に該プロジェクタを載置し、コンピュータを該補助台３２に必要に応じて載置させて使用することができる。この場合、架台１４の周りを平面視で周回転する位置に自在に補助台３２を配置できるからプロジェクタの全周空間を有効に利用して利用者の立ち居あるいは座位姿勢に応じて効果的に機器を配置させ使用することができる。
【００２８】
図１ないし図４において、可動筒２２の上端には上面を開口した中空ケース３４の底壁が連結固定されている。そして、この中空ケース３４に収納されて咬み合い回転部３５が設けられる一方、該中空ケースの上方で水平状に支持されて架台１４が横軸周りに首振り状に揺動可能に支持されている。本実施形態において、縦長で厚板状の中空部を有するケース体により中空ケース３４が形成され、該中空ケース３４は上面の開口面部分が正面から見て横幅中間位置から斜めに切欠されて切欠部３６ａと水平部３６ｂが形成されている。
【００２９】
図において、架台１４の下部には咬み合い歯台３８が下方に垂下して突設固定されている。咬み合い歯台３８は、架台１４に直結されてその一部に咬み合い回転部３５の一方側を形成する咬み合い歯４０を有し、入力カムとの咬み合い回動により架台１４を横軸周りに揺動させる部位であり、実施形態において、図２，３，６に示すように架台１４の下面略中央位置に固定された長板体から形成されている。さらに、本実施形態において、咬み合い歯台３８は、その長板形状の上辺側を斜めに切り落として斜辺として構成しており、したがって、この斜辺部分の板厚面と架台１４の底壁とが接合固定されている。図３において、咬み合い歯台３８は中空ケース３４の内部に収容されるように配置され、その状態で中空ケース３４の幅方向すなわち横方向に設けられた揺動軸４１に上部寄り中間位置を貫通されてその軸周りに揺動自在に設けられている。これによって、咬み合い歯台３８の下部側が入力動作により咬み合い回転すると該咬み合い歯台３８の揺動軸よりも上部側に固定支持された架台１４も軸周りに揺動する。図３において、長板状の咬み合い歯台３８の下辺側には連続する数個の山部と谷部を交互に形成させた咬み合い歯４０が形成されている。実施形態においてこれらの山部と谷部はすべて円弧が反転連続するように滑らかに形成されている。このように、長板の一辺部分にだけいわば歯車状の山部と谷部を連続形成させており歯車のように全周に歯を形成させる必要がないので入力カムとの咬合だけを確保すればよいので山部と谷部のすべてが円弧反転連続状に、しかも容易に加工することができる。また、このように円弧反転連続状の歯の咬合により円滑に咬み合い回転し、よって、入力による角度微調整設定も容易に行える。実施形態では長板の一辺部分において咬み合い歯４０の山部と谷部は例えば中心角１２０度程度について数個のみ形成してあり、１２０度を越えては咬み合い回転しないようになっている。図６−２に示すように該咬み合い歯台３８が鉛直方向に位置するときには例えば水平から略１５度程度の傾斜角で架台１４が配置されるとともに、咬み合い回転部３５での咬み合い回動により図６−１、図６−３のように架台１４が首振り状に揺動する
【００３０】
図４において、中空ケース３４内には断面コ字状の補助板４２，４４が長板体からなる咬み合い歯台３８をそれぞれの背面側で挟み付けるように該咬み合い歯台３８を中間にしてそれぞれ背面合わせ状に配置されている。一方の補助板４２は後述する入力カムに対して常時弾性的に押し付けられて配置されているとともに、他方の補助板４４はある程度ガタツキを生じる状態で中空ケース内に配置されている。
【００３１】
中空ケース３４内であって咬み合い歯台３８の咬み合い歯４０に咬合するように入力カム４６が配置されている。入力カム４６は、その回転入力操作により咬み合い歯台を介して架台１４を横軸周りに揺動させて角度調整させる入力部４７の一部を形成する部位であり、本実施形態において、入力カム４６は咬み合い歯台３８の咬み合い歯４０に咬合する入力咬み合い歯４８を円形のカム体の一部にのみ有するカム体から構成されている。このように咬み合い歯台３８の咬み合い歯４０に対応する入力咬み合い歯４８を一部にのみ設けた円形カム体で構成するから、その製造が容易である。この入力カム４６は、前記したコ字補助板４２，４４に挟装されて常時架台側の咬み合い歯台の咬み合い歯４０との咬み合い状態を保持している。すなわち、中空ケース３４内に中間に咬み合い歯台３８及び入力カム４６を咬み合い状態で挟みつけるように背面合わせで配置される２個の補助板４２，４４は咬み合い保持機構５０の主要部分を構成している。さらに、図４において、中空ケース３４の外壁及び補助板４２を貫通しその突設端を入力カム４６の中心に固定して入力軸５２が回転自在に設けられている。この入力軸５２の中空ケース３４の外部側は該入力軸５２より大径のボス部５４とその外面側に固定したノブハンドル５６が設けられており、このノブハンドル５６を回動すると、その先端に固定した入力カム４６も同方向に回転し、これに咬合する咬み合い歯台３８を介して架台１４を傾動させる。入力部４７は、入力カム４６とハンドル５６を含む。図４に示すように、補助板４２と中空ケース３４の内壁面との中間位置における入力軸５２部分には押しばねからなる付勢ばね５８が介装されており、これによって、常時補助板４２の外面側に入力カム４６を押し付けた状態に保持している。したがって、両補助板４２，４４間に咬み合い歯台３８と入力カム４６の咬み合い状態で挟ませることにより常時その咬み合い状態を維持し、同時に一方の補助板４２に押し付け付勢された入力軸５２をハンドル５６により回動操作して円滑に架台を傾動させることができる。このように、咬み合い回転部の一方側の咬み合い歯４０は咬み合い歯台３８を介して架台１４に直結し、一つの咬み合い回転部３５の構成により入力部４７からの入力操作で直接に架台１４を傾動調整させる。
【００３２】
図３において、架台１４に固定された咬み合い歯台３８の揺動軸４１すなわち枢軸から咬合部Ｙ（例えば、山部の頂点から谷部の最低点までの長さの中点部分）までの長さＳ１が、入力カム４６の枢軸５２から咬合部までの長さＳ２よりも長く（例えば２倍以上）設定されている。すなわち、互いに咬合する（咬み合い歯台３８の回転半径＞入力カムの回転半径）となっており、これによって、入力カム４６の入力回転量に比して咬み合い歯台３８の揺動軸４１回りの回転量は小さいものとなり、よって、架台１４の角度調整をラフな回転入力でも精密に行える。また、このような（咬み合い歯台３８の回転半径＞入力カムの回転半径）の関係でそれらの部品を具体的に構成するときには咬み合い歯台３８は長板体で構成してもよく、さらに架台１４への直結接合をやりやすくなる上に、さらに中空厚板状のケース３４内にそれらを収容して外部からはそれらの機構部分が見えないようにでき、機構部分の小型化とともに、その支持あるいは収容させるための中空ケース３４も小型化できて良好な外観デザインを保持し得る。
【００３３】
さらに、図４，５において、角度設定機構１６は、咬み合い回転部３５と、固定部６０と、を備えている。固定部６０は、入力部４７の入力操作により咬み合い回転部３５を介して首振り状に揺動して得られた任意の位置で咬み合い歯台３８を支持部側に固定させる固定操作手段であり、本実施形態において中空ケース３４の入力部が設けられた側の対向他端側の面に設けられて一方の手で入力して架台の傾動操作をし、他方の手で位置固定させるようにしている。実施形態において、固定部６０は、中空ケース３４の側壁に設けられた孔に取り付けられたナット部材６２と、該ナット部材の螺子孔に螺合して          貫通する固定解除用ハンドル６４と、を含む。固定解除用ハンドル６４は入力用のノブハンドルと同様にボス部６６、ハンドル部６８、固定解除軸７０を一体的に連結して構成されハンドル部６８を捩じ込み回動して固定解除軸７０の先端がコ字補助板４４の内壁面に押し付けられ、該コ字補助板４４の外壁面と咬み合い歯台３８との強い面接触摩擦力により所定の傾動位置で架台１４が固定される。したがって、例えば前方のスクリーンを見ながら光源の見上げ角を傾動させながら設定し、その位置で固定させる操作を両手を使いながら円滑確実に行なえる。
【００３４】
架台１４は、プロジェクタ等の高価な投影装置を安定して載置し得る平面あるいは平面的な部分を上面に有する台手段であり、本実施形態では板状の本体の後部に落下防止用の逆Ｕ字形のフレーム１５が上方に突設されている。
【００３５】
次に、本実施形態の角度調整台装置１０の作用について説明すると、装置１０全体は、キャスタ１９を介して簡単に移動できる。適宜のプロジェクトの投射位置で高さ調整してノブハンドル２４を固定して架台１４の高さを決める。プロジェクタを載置する前にいったん固定解除用ハンドル６４を操作して図６−１のように架台の板面を水平状に配置させる。その状態でプロジェクタＰ等の対象物を架台１４上に載置し、固定解除用ハンドル６４を緩めた状態で入力用のハンドル５６を回動すると、咬み合い回転部３５においてその回転量に対応して咬み合い歯台３８が直接に回転し、図６−２、あるいは図６−３のように、水平から３０度後傾位置までの範囲の任意の角度位置に架台１４を調整し、その状態で固定解除用ハンドル６４を締め込み方向に回動して固定させる。このとき、入力ノブハンドル５６の回転量よりも小さな回転量で咬み合い歯台３８が回転し架台１４が傾動するから角度の微調整も行なえる。また、咬み合い歯台３８および入力カム６の回転範囲は例えば１２０度のように決められて、一つの回転端が架台４の水平位置となるようにすると、前方への傾動による高価なプロジェクタ等の落下のおそれがなく、安全に使用できる。
【００３６】
以上、本実施形態について説明したが、本発明は上記実施形態に限定されるものでなく、特許請求の範囲に記載した事項を逸脱することなく、種々の変更、改良、組合せが可能なことは当業者に自明であろう。たとえば、上記実施形態では、支持部、咬み合い回転部、架台等を金属製としたが、適宜強度上で支障ない程度で部分、あるいは全体について硬質の合成樹脂、軽金属その他の素材で形成してもよい。
【産業上の利用可能性】
【００３７】
本発明の角度調整台装置は、ＯＨＰ装置、ＣＲＴや液晶パネルなどで作られた小型の表示装置の画像を光学的に拡大し、スクリーンに投影して大画面表示させるプロジェクションディスプレイ等用の機器の角度調整台装置として好適に用いることができる。また、光学投射装置は前方からスクリーンに投射して表示させるタイプやスクリーンの後部側から光を透光させて表示させるものでもよい。その他、本発明装置は、光学的投射装置に限らず、簡易に角度調整が必要で架台上に載置し得る程度の物品の大きさ、重量物の角度調整台としても適用し得る。
【図面の簡単な説明】
【００３８】
【図１】本発明による角度調整台装置の一実施形態を示す正面説明図である。
【図２】図１の実施形態による角度調整台装置の拡大一部断面説明図である。
【図３】図１の角度調整台装置の一部切欠要部拡大正面説明図である。
【図４】図３のＡ−Ａ線断面図である。
【図５】図３のＢ−Ｂ線断面図である。
【図６−１】図１の角度調整台装置の要部作用説明図である。
【図６−２】図１の角度調整台装置の要部作用説明図である。
【図６−３】図１の角度調整台装置の要部作用説明図である。
【符号の説明】
【００３９】
１０  角度調整台装置
１４  架台
１６  角度設定機構
３４  中空ケース
３５  咬み合い回転部  
３８  咬み合い歯台
４０  咬み合い歯
４１  揺動軸
４６  入力カム
４７  入力部
４８  入力咬み合い歯
５０  咬み合い保持機構
５２  入力軸
５６  ノブハンドル
６０  固定部
６４  固定解除用ハンドル
Ｙ  咬合部
【図１】
2005121918.tif 000003
【図２】
2005121918.tif 000004
【図３】
2005121918.tif 000005
【図４】
2005121918.tif 000006
【図５】
2005121918.tif 000007
【図６−１】
2005121918.tif 000008
【図６−２】
2005121918.tif 000009
【図６−３】
2005121918.tif 000010